【手続補正書】
【提出日】平成26年8月20日(2014.8.20)
【手続補正１】
【補正対象書類名】特許請求の範囲
【補正対象項目名】全文
【補正方法】変更
【補正の内容】
【特許請求の範囲】
【請求項１】
１つの検体を同一方向に切断することによって得られた複数の切片が離散的に載置されたスライドを撮影して得た画像データを取得する取得部と、
前記取得された画像データにおける個々の前記切片を含む同一形状の複数の検体領域を検出して、個々の前記検体領域それぞれの前記画像データの座標空間における位置を相対的に示す位置情報を算出する検出部と、
前記算出された位置情報を記憶する第１の記憶部と、
前記記憶された位置情報をもとに前記検体領域間での表示の切り替えを行う制御部と
を具備する情報処理システム。
【請求項２】
請求項１に記載の情報処理システムであって、
前記画像データの解像度を下げた縮小データを生成する生成部をさらに具備し、
前記検出部は、前記縮小データから前記複数の検体領域を検出することで、前記画像データ内の前記複数の検体領域を検出する
情報処理システム。
【請求項３】
請求項１または２に記載の情報処理システムであって、
前記複数の検体領域の複数の画像データが切断順に管理され、
前記制御部は、前記取得された画像データ中で表示させる前記検体領域とその中の範囲の指定をユーザから受け付けたとき、前記指定された検体領域の中の前記範囲を表示領域として算出し、前記表示領域が当該検体領域の末端にあるときに、前記表示領域を前記末端よりも外に移動させる指示をユーザより受け付けたとき、前記記憶された位置情報をもとに切断順で隣の前記検体領域の表示に切り替える
情報処理システム。
【請求項４】
請求項１ないし３のいずれか１項に記載の情報処理システムであって、
前記制御部は、前記算出した表示領域が当該検体領域の、前記画像データの座標空間における前記複数の検体領域の一方の軸方向の末端にあるとき、前記表示領域を前記末端よりも外に前記一方の軸方向に移動させる指示をユーザより受け付けたとき、他方の軸方向での位置を固定しつつ前記切断順で隣の検体領域の表示に切り替える
情報処理システム。
【請求項５】
請求項１ないし４のいずれか１項に記載の情報処理システムであって、
前記取得部は、１つの検体を同一方向に切断することによって得られた複数の切片が一列に且つ離散的に並べて載置されたスライドを撮影して得た画像データを取得し、
前記制御部は、前記算出した表示領域が当該検体領域の、前記画像データの座標空間における前記複数の検体領域の並びの方向の末端にあるとき、前記表示領域を前記末端よりも先に前記並びの方向へ移動させる指示をユーザより受け付けたとき、前記記憶された位置情報をもとに当該移動先の前記検体領域の表示領域を算出する
情報処理システム。
【請求項６】
請求項１ないし５のいずれか１項に記載の情報処理システムであって、
前記複数の検体領域それぞれの特徴点を検出し、それぞれの前記特徴点の座標の前記検体領域の座標空間におけるオフセット量を算出するアライメント部と、
前記算出されたオフセット量を記憶する第２の記憶部とをさらに具備し、
前記制御部は、前記表示領域を他の検体領域へジャンプさせる指示をユーザより受け付けたとき、前記記憶された位置情報と前記記憶されたオフセット量をもとに、ジャンプ前後の前記表示領域内での前記特徴点の位置が一致するように、ジャンプ先の前記表示領域を算出する
情報処理システム。
【請求項７】
請求項１ないし６のいずれか１項に記載の情報処理システムであって、
前記アライメント部は、検出された前記複数の検体領域内の特徴点を表示空間において一致させるためのアフィン変換行列を算出し、算出された前記アフィン変換行列をもとに前記オフセット量を算出する
情報処理システム。
【請求項８】
請求項１ないし７のいずれか１項に記載の情報処理システムであって、
前記制御部は、前記取得された画像データ中で表示させる複数の検体領域の指定をユーザから受け付けたとき、表示空間を前記指定された複数の検体領域の数と等しい数の表示空間に分割し、前記記憶された位置情報と前記記憶されたオフセット量をもとに、前記複数の表示空間に表示される前記検体領域内での前記特徴点の位置が一致するように、前記複数の表示空間に表示される前記表示領域を算出する
情報処理システム。
【請求項９】
取得部が、１つの検体を同一方向に切断することによって得られた複数の切片が離散的に載置されたスライドを撮影して得た画像データを取得し、
検出部が、前記取得された画像データにおける個々の前記切片を含む同一形状の複数の検体領域を検出して、個々の前記検体領域それぞれの前記画像データの座標空間における位置を相対的に示す位置情報を算出し、
第１の記憶部が前記算出された位置情報を記憶し、
制御部が、前記記憶された位置情報をもとに前記検体領域間での表示の切り替えを行う
情報処理方法。
【手続補正２】
【補正対象書類名】明細書
【補正対象項目名】００２８
【補正方法】変更
【補正の内容】
【００２８】
［情報処理システム］
図１は、本技術に係る実施形態に係る情報処理システムの構成を示す図である。
この情報処理システム１は、画像サーバ１００と、１以上のビューワ２００Ａ、２００Ｂとを有する。これらは互いにネットワーク３００を通じて接続可能である。ネットワーク３００は、インターネットなどのＷＡＮ（Ｗｉｄｅ Ａｒｅａ Ｎｅｔｗｏｒｋ）でも、ＬＡＮ（Ｌｏｃａｌ Ａｒｅａ Ｎｅｔｗｏｒｋ）でもよい。また、ネットワーク３００は有線、無線を問わない。ここでは説明の簡単のため、２つのビューワ２００Ａ、２００Ｂが接続されている場合を示したが、ビューワの数は３以上であってもよい。この明細書においてビューワを個別に指定しない場合には「ビューワ２００」と表記することとする。画像サーバ１００と、１以上のビューワ２００は、例えば、典型的なコンピュータで構成されたものでよい。
【手続補正３】
【補正対象書類名】明細書
【補正対象項目名】００１５
【補正方法】変更
【補正の内容】
【００１５】
これにより、移動先の表示領域の検体領域内での位置が、移動元の表示領域の検体領域内での位置と対応するため、ユーザにとっての利便性が期待できる。
【手続補正４】
【補正対象書類名】明細書
【補正対象項目名】００８０
【補正方法】変更
【補正の内容】
【００８０】
これにより、移動先の表示領域の検体領域内での位置が、移動元の表示領域の検体領域内での位置と対応するため、ユーザにとっての利便性が期待できる。
【手続補正５】
【補正対象書類名】明細書
【補正対象項目名】００３５
【補正方法】変更
【補正の内容】
【００３５】
ここで、スライド番号及び検体領域番号の設定の方法について説明する。まず、検体領域検出部１０３は、上記のようにサムネイル画像のデータから検出した複数の検体領域の画像間の特徴マッチングを行う。この特徴マッチングは、後で説明する特徴マッチング部１０５による特徴マッチングと同様の手法で行えばよい。検体領域検出部１０３は、特徴マッチングの結果をもとに、１つのスライド画像に含まれる複数の検体領域内の切片Ａ〜Ｆ同士の類似度を判定する。そして、検体領域検出部１０３は、図１０に示すように、類似度の高い切片Ｂ、Ｃを含む検体領域同士が近くに位置し、類似度の高い切片Ｄ、Ｅを含む検体領域同士が近くに位置するようにグルーピングをする。そして、検体領域検出部１０３は、図１１に示すように、面積の大きい切片Ａが検体６００の一方（例えば根元）で、そこから面積の小さい切片Ｆ（例えば先端）に向かって連続していると判断し、図１２に示すように、特徴点の位置間隔が狭まって行くように連続する検体領域番号を設定する。
【手続補正６】
【補正対象書類名】明細書
【補正対象項目名】００７５
【補正方法】変更
【補正の内容】
【００７５】
本実施形態の情報処理システム１は、画像データの解像度を下げた縮小データを生成するサムネイル画像生成部１１０をさらに具備し、検体領域検出部１０３は、縮小データから複数の検体領域を検出することで、画像データ内の複数の検体領域を検出する。
【手続補正７】
【補正対象書類名】明細書
【補正対象項目名】０１００
【補正方法】変更
【補正の内容】
【０１００】
第２の座標算出部２０６は、上記演算の結果、次に表示する検体領域がないと判断すると（ステップＳ２０９でＹｅｓ）、ジャンプ表示処理を終了する。
【手続補正８】
【補正対象書類名】明細書
【補正対象項目名】０１１８
【補正方法】変更
【補正の内容】
【０１１８】
ストレージ装置４０６は、プログラムやユーザデータ格納用の装置である。ストレージ装置４０６は、記憶媒体と、記憶媒体にデータを書き込んだり読み出したりする読み書き装置などで構成される。三角形・行列記憶部１０６は、例えば、ＨＤＤ（Ｈａｒｄ Ｄｉｓｋ Ｄｒｉｖｅ）、ＳＳＤ（Ｓｏｌｉｄ Ｓｔａｔｅ Ｄｒｉｖｅ）などで構成される。